(57)【要約】【課題】同調光源を有し、レンズセットを省略する光学構造で、コストダウン体積縮小を実現できるマウスの光学構造を提供し、また、マウスのセンス機能とマウスの鋭敏性を向上するための同調光源を有し、様々の表面で作動できるマウスを提供する。【解決手段】マウス１００の内部に設置されるマウス１００の光学構造２であって、土台本体２１と、土台本体２１に設置され、出射光２２１をワーク平面４に照射して、出射光２２１がワーク平面４で反射されて反射光２２２になる同調光源２２と、土台本体２１に設置され、反射光２２２の経路に位置する光センサ２３とを備える。【選択図】図２
0003122551.tif 000002
【実用新案登録請求の範囲】
【請求項１】
マウスの内部に設置されるマウスの光学構造であって、
土台本体と、
前記土台本体に設置され、出射光をワーク平面に照射して、前記出射光が前記ワーク平面で反射されて反射光になる同調光源と、
前記土台本体に設置され、前記反射光の経路に位置する光センサとを備えることを特徴とするマウスの光学構造。
【請求項２】
前記土台本体は、内部に収納室が形成されることを特徴とする請求項１に記載のマウスの光学構造。
【請求項３】
前記同調光源は、固体レーザであることを特徴とする請求項１に記載のマウスの光学構造。
【請求項４】
前記光センサは、受光部を有し、当該受光部が前記反射光の経路に位置することを特徴とする請求項１に記載のマウスの光学構造。
【請求項５】
前記出射光が形成した前記ワーク平面に対する入射角が１５度乃至７５度の間にあることを特徴とする請求項１に記載のマウスの光学構造。
【請求項６】
枠体と、
前記枠体の内部に設置された土台本体と、
前記土台本体に設置され、出射光をワーク平面に照射し、前記出射光が前記ワーク平面で反射されて反射光になる同調光源と、
前記土台本体に設置され、前記反射光の経路に位置する光センサとを備えることを特徴とするマウス。
【請求項７】
前記枠体は、上蓋と底座とを具備し、
前記底座には前記出射光を前記ワーク平面に照射するための開口が形成され、
前記土台本体は、内部に収納室が形成され、当該収容室が前記開口の上方に位置するよう前記底座に設置されることを特徴とする請求項６に記載のマウス。
【請求項８】
前記同調光源は、固体レーザであることを特徴とする請求項６に記載のマウス。
【請求項９】
前記光センサは、受光部を有し、前記受光部が前記反射光の経路に位置することを特徴とする請求項６に記載のマウス。
【請求項１０】
前記出射光が形成した前記ワーク平面に対する入射角が、１５度乃至７５度の間であることを特徴とする請求項６に記載のマウス。
【請求項１１】
更に、前記同調光源と前記光センサに夫々電気的に接続される回路基板を備えることを特徴とする請求項６に記載のマウス。
【考案の詳細な説明】
【技術分野】
【０００１】
本考案は、コンピュータの操作に用いるマウス及びその光学構造に関し、特に、同調光源を有し、レンズセットを省略する光学構造で、コストダウンと体積縮小を実現でき、マウスのセンス機能と鋭敏性が向上され、異なる表面で操作できるものに関する。
【背景技術】
【０００２】
コンピュータの操作に用いる光学マウスの技術領域において、主とする原理は、同調光源（例えば、発光ダイオード）から、出射光を卓面やマウスパッドに照射して、応用平面で生成する反射光を取り込むことにより、当該表面にある不均一や微細凹凸を判断し、光学マウスの作動を制御している。このようなものとして、例えば、特許文献１に開示されている。
【特許文献１】台湾特許申請案第０９３２０５８５５号
【０００３】
図１は、従来の光学マウスの光学構造の断面図である。光学構造１ａは、光学マウスの枠体２ａの中に設置され、レンズベース３ａと、ＬＥＤ素子４ａと、画像センス素子５ａとを含有する。前記レンズベース３ａは、光学マウスの枠体２ａの底部に設置され、ＬＥＤ素子４ａが出射光を放射する位置に対応して設けられる第１のレンズ３１ａと、画像センス素子５ａが反射光を受光する位置に対応して設けられる第２のレンズ３２ａとを有する。
【０００４】
この構造において、ＬＥＤ素子４ａからの出射光が、第１のレンズ３１ａで曲折して、反射面６ａ（卓面）へ照射し、そして、反射面６ａで反射することにより、反射光が形成される。反射光が、更に第２のレンズ３２ａを介して画像センス素子５ａの反射光受光位置に到達する。
【考案の開示】
【考案が解決しようとする課題】
【０００５】
しかしながら、前記したような従来の構造にあっては、次のような課題があった。
即ち、前記ＬＥＤ素子４ａの出射光は、放射状に出射されて、第１のレンズ３１ａと反射面６ａ及び第２のレンズ３２ａを介して、画像センス素子５ａに到達する。そのため、光信号には、転送過程において光損失が発生する。即ち、ＬＥＤ素子４ａからの出射光の全てが、レンズベース３ａを介して画像センス素子５ａまで到達することができない。
このように光信号が弱くなると、画像センス素子５ａの鋭敏性と解析性が低下し、光学マウスの機能に悪い影響を与えるという課題があった。
【０００６】
また、前記レンズベース３ａは、コストが高いだけでなく、それにより光学構造全体の体積が増加されるという課題があった。
【０００７】
また、前記従来の光学マウスを、滑らかな表面で使用する場合、常にマウスが正常にワーク（機能）するとは限らず、コンピュータに伝送された光学画像分析により、正確にマウスの移動を把握できないことがあった。
【０００８】
このように、前記従来の光学マウスには、解決しなければならない問題が残される。
【０００９】
故に、本考案者は、豊富の長年の実務経験に基づいて、慎重に研究し、そして、学理に合わせて、設計が合理的で、有効的に従来の技術の問題点を解決できる考案を提案する。
【００１０】
本考案の目的は、特に、同調光源を有し、レンズセットを省略する光学構造で、コストダウン体積縮小を実現できるマウスの光学構造を提供することであり、また、特に、マウスのセンス機能とマウスの鋭敏性を向上するための同調光源を有し、様々の表面で作動できるマウスを提供することである。
【課題を解決するための手段】
【００１１】
前記目的を達成するため、本考案に係るマウスの光学構造は、マウスの内部に設置されるマウスの光学構造であって、土台本体と、前記土台本体に設置され、出射光をワーク平面に照射して、前記出射光が前記ワーク平面で反射されて反射光になる同調光源と、前記土台本体に設置され、前記反射光の経路に位置する光センサとを備えることに特徴を有する。
また、前記目的を達成するため、本考案に係るマウスは、枠体と、前記枠体の内部に設置された土台本体と、前記土台本体に設置され、出射光をワーク平面に照射し、前記出射光が前記ワーク平面で反射されて反射光になる同調光源と、前記土台本体に設置され、前記反射光の経路に位置する光センサとを備えることに特徴を有する。
【００１２】
好ましい実施の形態において、前記同調光源は、固体レーザであり、放射した出射光の入射角は、１５度乃至７５度の間にあるのが望ましい。当該同調光源は、マウスのセンス機能とマウスの鋭敏性を向上するためのものであり、これにより、当該マウスが様々の表面でもワークすることができる。
【００１３】
また、前記光センサは、受光部を有し、当該受光部は、反射光の経路に設けられる。これにより、同調光源からの出射光は、前記ワーク平面で反射した後、直接に前記光センサの受光部へ反射される。そのため、同調光源からの出射光は、レンズセットによって案内されなくても、光センサの受光部へ転送される。そのため、レンズセットを省略できることにより、レンズセット分のコストと占用空間を節約することができる。
【００１４】
以下、本考案の特徴や技術内容について、図面を参照しながら詳しく説明するが、図面等は、ただ、参考や説明のためのものであり、本考案は、それにより、制限されることがない。
【考案の効果】
【００１５】
本考案によれば、同調光源を有し、レンズセットを省略する光学構造で、コストダウン体積縮小を実現できるマウスの光学構造を得ることができ、また、マウスのセンス機能とマウスの鋭敏性を向上するための同調光源を有し、様々の表面で作動できるマウスを得ることができる。
【考案を実施するための最良の形態】
【００１６】
図２は、本考案に係るマウス及びその光学構造の第１の好ましい実施形態の断面図である。本考案に係るマウス１００は、枠体１と光学構造２とを具備する。当該光学構造２は、当該枠体１の内部に設置され、土台本体２１と、同調光源２２と、光センサ２３とを有する。このマウス１００は、筆式光学マウスでもいいし、バックス式光学マウスでもいい。
【００１７】
前記枠体１は、上蓋１１と底座１２とを有し、当該底座１２に、開口１２１が形成される。前記土台本体２１は、一体成型であり、その内部に収納室２１１が形成される。また、土台本体２１は、底座１２に設置され、前記収納室２１１が前記開口１２１の上方に位置するようになされている。
【００１８】
前記同調光源２２は、固体レーザであり、固体レーザを光源とすると、マウスの物体表面に対する鋭敏性が向上される。そのため、マウス１００が滑らかな表面で移動する場合でも、正確にシフトの情報をコンピュータに供給することができる。また、マウス１００は、より正確的に物体の表面情報を把握できるため、従来のマウスが滑らかな表面で正確的に位置情報を把握できない問題を解消できる。
【００１９】
前記同調光源２２は、土台本体２１に設置され、同調光源２２からの出射光２２１は、前記開口１２１を通ってワーク平面４に照射され、当該ワーク平面４で反射された後、反射光２２２を形成する。尚、ワーク平面４に対する出射光２２１の好ましい入射角αは、１５度乃至７５度の間である。図２に示す第１の好ましい実施の形態においては、当該入射角αは１５度としている。
また、同調光源２２からの出射光２２１は同調光であるため、出射光２２１がワーク平面４で反射した後、自然に、入射角αと等しい反射角βが形成される。
【００２０】
また、前記光センサ２３は、土台本体２１に設置され、反射光の経路に位置する。光センサ２３は、受光部２３１を有し、当該受光部２３１は、当該反射光の経路に位置し、反射光２２２を受光する。即ち、当該光センサ２３が如何に設置されても、受光部２３１が反射光の経路に位置することにより、反射光２２２を受光する目的が達成される。そのため、本実施形態において、入射角αを１５度とするならば、受光部２３１は、反射角βが１５度である反射光の経路にある任意の位置にあればよい。
【００２１】
前記マウス１００は、更に、回路基板３を備える。この回路基板３は、同調光源２２と光センサ２３に夫々電気的に接続され、当該マウス１００を駆動するよう機能する。
【００２２】
マウス１００がワーク平面４で摺動する時、同調光源２２の出射光２２１は、底座１２の開口１２１から、入射角αでワーク平面４へ入射する。尚、予め決められる入射角αは、設計者によって決定され、設計者は、当該ワーク平面４の表面の特性を強調できる角度を選択することができ、これにより、マウスの鋭敏性が向上される。
同調光源２２からの出射光２２１がワーク平面４で反射されることにより形成された反射光２２２は、開口１２１を介して、直接、光センサ２３の受光部２３１によって受光される。
【００２３】
このように、同調光源２２からの出射光２２１が、ワーク平面４で、直接、光センサ２３の受光部２３１へ反射される。そのため、同調光源２２からの出射光２２１は、レンズセットによって案内されなくても、当該光センサ２３の受光部２３１へ転送される。そのため、当該光学構造２において、従来のマウスの光学構造のレンズセットを省略でき、コストや占用空間を節約できる。したがって、当該マウス１００の光学構造２の設計により、コストダウンと体積縮小が実現される。
【００２４】
また、同調光源２２により、マウスのセンス機能とマウスの鋭敏性が向上され、当該マウス１００を、各種類の表面でもワークさせることができる。
【００２５】
図３は、本考案に係るマウス及びその光学構造の第２の好ましい実施形態の断面図である。
第２の好ましい実施形態においては、同調光源２２の出射光２２１の入射角αが３０度であるため、光センサ２３の受光部２３１が、反射角βが３０度である反射光の経路に位置すればよい。即ち受光部２３１が、反射角βが３０度である反射光の経路にある任意の位置にあればよい。
【００２６】
図４は、本考案に係るマウス及びその光学構造の第３の好ましい実施形態の断面図である。
第３の好ましい実施形態においては、同調光源２２からの出射光２２１の入射角αが４５度であるため、光センサ２３の受光部２３１が、反射角βが４５度である反射光の経路に位置すればよい。即ち、受光部２３１が、反射角βが４５度である反射光の経路にある任意の位置にあればよい。
【００２７】
図５は、本考案に係るマウス及びその光学構造の第４の好ましい実施形態の断面図である。第４の好ましい実施形態においては、光センサ２３は水平状態に設けられる。このため、入射角痾が１５度や３０度或いは４５度であっても、受光部２３１が反射光２２２の経路に位置すればよい。
【００２８】
以上の実施の形態に示したように、本考案は、次の利点を有する。
イ、光学構造は同調光源を有し、同調光の特性によりマウスの光学構造の設計が簡素化されることができるため、コストの節約と全体体積の縮小が実現される。
ロ、同調光源が、固体レーザであるため、マウスの物体表面に対する鋭敏性が向上される。即ち、マウスが滑らかな表面で移動する場合でも、正確的にシフトの情報をコンピュータに供給することができるため、レーザを光源とすると、マウスがより正確的に物体の表面情報を把握できる。
【００２９】
尚、前記実施の形態は、好ましい例を示したものであり、本考案は、それによって制限されず、本考案に係わる明細書や図式に従って、行われる等価の変更や修正は、全てが、本考案の実用新案登録請求に含まれる。
【産業上の利用可能性】
【００３０】
本考案は、本考案は、コンピュータの操作に用いるマウス及びその光学構造に関し、その製造業界において適用される。
【図面の簡単な説明】
【００３１】
【図１】図１は、従来のマウスの光学構造の断面図である。
【図２】図２は、本考案に係るマウス及びその光学構造の第１の好ましい実施形態の断面図である。
【図３】図３は、本考案に係るマウス及びその光学構造の第２の好ましい実施形態の断面図である。
【図４】図４は、本考案に係るマウス及びその光学構造の第３の好ましい実施形態の断面図である。
【図５】図５は、本考案に係るマウス及びその光学構造の第４の好ましい実施形態の断面図である。
【符号の説明】
【００３２】
１・・・・・枠体
２・・・・・光学構造
３・・・・・回路基板
４・・・・・ワーク平面
１１・・・・上蓋
１２・・・・底座
２１・・・・本体
２２・・・・同調光源
２３・・・・光センサ
１００・・・マウス
１２１・・・開口
２１１・・・収納室
２２１・・・出射光
２２２・・・反射光
２３１・・・受光部
α・・・・・入射角
β・・・・・反射角
【図１】
0003122551.tif 000003
【図２】
0003122551.tif 000004
【図３】
0003122551.tif 000005
【図４】
0003122551.tif 000006
【図５】
0003122551.tif 000007